(57)【要約】【課題】  電気やガス、水道を含む供給物の検針時に、熊や猪を含む野生動物が出没する可能性が高い場所において、動物除けの音声を出力する。【解決手段】  現在位置を検出するＧＰＳ３３と、音声を出力するスピーカ３４と、需要家宅の位置や地形図を含む地図情報を記憶したルート内地図情報データベース４２ａと、需要家宅の検針ルートを記憶した検針ルートデータベース４１ａと、熊や猪を含む野生動物の出没位置を含む出没情報を記憶したルート内出没情報データベース４３ａと、ＧＰＳ３３によって検出した現在位置と、ルート内地図情報データベース４２ａと検針ルートデータベース４１ａとルート内出没情報データベース４３ａとに基づいて、現在位置から検針ルートＲ上の所定エリア内において野生動物が出没する可能性が高いか否かを判定して、出没する可能性が高いと判定した場合は、スピーカ３４から熊除け鈴の音を出力する動物除けタスク４６、を備える。【選択図】  図１
2015011430.tif 000002
【特許請求の範囲】
【請求項１】
電気やガス、水道を含む供給物の使用量を検針する検針手段と、
現在位置を検出する現在位置検出手段と、
音声を出力する音声出力手段と、
需要家宅の位置や地形図を含む地図情報を記憶した地図情報記憶手段と、
需要家宅の検針ルートを記憶した検針ルート記憶手段と、
熊や猪を含む野生動物の出没位置を含む出没情報を記憶した出没情報記憶手段と、
現在位置検出手段によって検出した現在位置と、前記地図情報記憶手段と前記検針ルート記憶手段と前記出没情報記憶手段とに基づいて、現在位置から前記検針ルートを含む所定エリアにおいて野生動物が出没する可能性が高いか否かを判定して、出没する可能性が高いと判定した場合は、前記音声出力手段から音声を出力する動物除け手段と、
を備えることを特徴とする動物除け機能付き検針ハンディターミナル。
【請求項２】
移動速度を取得する速度計測手段を備え、
前記動物除け手段は、前記速度計測手段で計測した速度が所定値以上の場合は、前記音声出力手段からの動物除け音声を出力しない、
ことを特徴とする請求項１に記載の動物除け機能付き検針ハンディターミナル。
【発明の詳細な説明】
【技術分野】
【０００１】
この発明は、電気やガス、水道を含む供給物の検針時に、熊や猪を含む野生動物が出没する可能性が高い場所において、動物除けの音声を出力する動物除け機能付き検針ハンディターミナルに関する。
【背景技術】
【０００２】
電気やガス、水道を含む供給物においては、使用量から使用料金を算出するために、所定期間ごとに検針員が需要家宅を訪問して使用量計を検針する。需要家宅の検針業務では、検針員が使用量計の前に立ち、ハンディターミナルによって検針値を読み取り記録し、所定のタイミングで検針値を電力会社の管理サーバに送信する。
【０００３】
また、検針業務は、供給物の供給エリア内の全ての需要家宅を訪問するため、市街地だけではなく林野部や山間部を訪問する場合がある。林野部や山間部では、熊や猪を含む野生動物に遭遇する危険性があるため、検針員は、検針時は熊除け鈴を携帯して野生動物との遭遇を回避するようにしている。ところが、検針員が熊除け鈴を携帯していなかったり、使用中に紛失してしまったりした場合には、野生動物の忌避を適切に行えないおそれがある。
【０００４】
ところで、検針業務について、顧客宅の訪問などを補助して、検針員の負担を軽減することを可能にする検針システムおよび検針方法に関する技術が提案されている（例えば、特許文献１参照。）。この技術においては、ハンディターミナルに、顧客の計器番号、顧客の氏名、検針員が作成したメモ、検針員が撮影した画像を表示するようになっており、メモとして「計器は倉庫にあります」や「犬がいます」が例示されている。
【先行技術文献】
【特許文献】
【０００５】
【特許文献１】特開２００９−０２０５６３号公報
【発明の概要】
【発明が解決しようとする課題】
【０００６】
特許文献１に記載の技術では、ハンディターミナルに、検針作業データとして各需要家宅の情報をメモとして表示するものである。しかしながら、需要家宅間の検針ルートの移動中においては、野生動物が出没する可能性が高いか否かを判定して、危険回避をすることができないものである。
【０００７】
そこで、この発明は、検針時に、検針ルートにおいて野生動物が出没する可能性が高いと判定すると動物除けの音声を出力する動物除け機能付き検針ハンディターミナルを提供することを目的としている。
【課題を解決するための手段】
【０００８】
前記の課題を解決するために、請求項１の発明は、電気やガス、水道を含む供給物の使用量を検針する検針手段と、現在位置を検出する現在位置検出手段と、音声を出力する音声出力手段と、需要家宅の位置や地形図を含む地図情報を記憶した地図情報記憶手段と、需要家宅の検針ルートを記憶した検針ルート記憶手段と、熊や猪を含む野生動物の出没位置を含む出没情報を記憶した出没情報記憶手段と、現在位置検出手段によって検出した現在位置と、前記地図情報記憶手段と前記検針ルート記憶手段と前記出没情報記憶手段とに基づいて、現在位置から前記検針ルートを含む所定エリアにおいて野生動物が出没する可能性が高いか否かを判定して、出没する可能性が高いと判定した場合は、前記音声出力手段から音声を出力する動物除け手段と、を備えることを特徴とする動物除け機能付き検針ハンディターミナルである。
【０００９】
この発明によれば、動物除け手段によって、現在位置検出手段によって検出した現在位置と、地図情報記憶手段と検針ルート記憶手段と出没情報記憶手段とに基づいて、現在位置から検針ルートを含む所定エリアにおいて野生動物が出没する可能性が高いか否かが判定されて、出没する可能性が高いと判定された場合は、音声出力手段から音声が出力される。
【００１０】
請求項２の発明は、請求項１に記載の動物除け機能付き検針ハンディターミナルにおいて、移動速度を取得する速度計測手段を備え、前記動物除け手段は、前記速度計測手段で計測した速度が所定値以上の場合は、前記音声出力手段からの動物除け音声を出力しない、ことを特徴とする。
【発明の効果】
【００１１】
請求項１の発明によれば、動物除け手段によって、現在位置から検針ルートを含む所定エリアにおいて野生動物が出没する可能性が高いと判定された場合は、音声出力手段から音声を出力することができる。これにより、検針員は、検針時にハンディターミナル以外に熊除け鈴を携帯する必要がなくなる。すなわち、検針時に必ず携帯しているハンディターミナルによって、野生動物が出没する可能性が高いと判定された場合に動物除け音声を出力ことができるので、いつでも安全に検針することができる。
【００１２】
請求項２の発明によれば、動物除け手段は、速度計測手段で計測した速度が所定値以上の場合は、音声出力手段からの動物除け音声を出力しないので、例えば、自動車で移動しているような場合には、動物除け音声を出力しないようになる。すなわち、必要な場合のみ、動物除け音声を出力するようになっている。
【図面の簡単な説明】
【００１３】
【図１】この発明の実施の形態に係る動物除け機能付き検針ハンディターミナルの概略構成ブロック図である。
【図２】図１の動物除け機能付き検針ハンディターミナルを示す概略図である。
【図３】図1の動物除け機能付き検針ハンディターミナルの検針ルートデータベースに記憶されている検針ルートと、ルート内地図情報データベースに記憶されている地図情報と、ルート内出没情報データベースに記憶されている出没情報の一例を示す図である。
【図４】図１の動物除け機能付き検針ハンディターミナルの動物除けタスクによる処理を示すフローチャートである。
【発明を実施するための形態】
【００１４】
以下、この実施の形態に基づいて説明する。
【００１５】
この実施の形態においては、供給物が電気の場合について説明するものとし、図１は、この発明の実施の形態に係る検針時動物除けシステム１の概略構成ブロック図である。検針時動物除けシステム１は、各需要家宅Ｈの電力量計（図示略）の検針のために検針員が携帯する動物除け機能付き検針ハンディターミナル２であって、熊や猪を含む野生動物が出没する可能性が高い場所では動物除けの音声を出力する機能を有するものである。この検針時動物除けシステム１は、電力会社に配設された管理サーバ１００と、各検針員が携帯する動物除け機能付き検針ハンディターミナル２とが、通信網ＮＷを介して通信可能に接続されている。
【００１６】
管理サーバ１００は、電力会社側に設置されたサーバ装置であり、主として、通信部（図示略）、全検針ルートデータベース（図示略）、全地図情報データベース（図示略）、全出没情報データベース（図示略）、および、これらを制御などする制御部（図示略）を備えている。
【００１７】
全検針ルートデータベースは、検針員を識別するＩＤと検針日ごとに、検針ルートＲが記憶されており、全検針員の検針ルートＲが格納されている。
【００１８】
全地図情報データベースは、電力の供給エリア内の全需要家宅Ｈの位置や地形図を含む地図情報が記憶されている。
【００１９】
全出没情報データベースは、熊や猪を含む野生動物の出没位置（緯度、経度）、日時、天候、出没した動物の種類と状況、その他を含む出没情報を記憶している。その他は、例えば「親子２頭」、「体長  大」のように記憶されている。この出没情報は、都道府県や市区町村を含む行政機関や民間団体から発表される情報や、検針員を含む目撃者からの情報に基づいて登録して蓄積するようになっている。また、動物除け機能付き検針ハンディターミナル２の動物出没情報登録タスク４４によって、検針時に検針員が目撃した情報や、入手した情報を動物除け機能付き検針ハンディターミナル２に記憶したものが管理サーバ１００に転送されると、登録して蓄積するようになっている。
【００２０】
動物除け機能付き検針ハンディターミナル２は、図１に示すように、主として、記憶部３１と、通信部３２と、現在位置検出手段としてのＧＰＳ３３と、音声出力手段としてのスピーカ３４と、速度計測手段としての速度計３５と、モニタ３６と、検針ルート記憶手段４１と、地図情報記憶手段４２と、出没情報記憶手段４３と、動物出没情報登録タスク４４と、ルート内情報取得タスク４５と、動物除け手段としての動物除けタスク４６と、これらを制御などする制御部２０と、電気の使用量を検針する検針部２１とを備えている。
【００２１】
記憶部３１は、動物除け機能付き検針ハンディターミナル２における処理に必要なデータや、プログラムなどを記憶しており、当該動物除け機能付き検針ハンディターミナル２を使用する検針員を識別するＩＤを記憶している。また、記憶部３１は、動物出没情報登録タスク４４によって検針員が登録した出没情報を記憶しており、検針値データを管理サーバ１００に送信する際に記憶している出没情報を送信するようになっている。さらに、記憶部３１は、野生動物の出没する可能性の高い地形として、例えば、林野部や森林部、山間部、農地を記憶している。
【００２２】
通信部３２は、通信網ＮＷを介して管理サーバ１００と有線または無線で通信するための通信装置である。
【００２３】
ＧＰＳ（Ｇｌｏｂａｌ  Ｐｏｓｉｔｉｏｎｉｎｇ  Ｓｙｓｔｅｍ）３３は、衛星測位システムのことであり、後述する動物除けタスク４６によって定期的に現在位置を取得して、記憶部３１に記憶するようになっている。
【００２４】
スピーカ３４は、図２に示すように動物除け機能付き検針ハンディターミナル２の下側に配設されており、動物除けタスク４６の処理結果に基づいて動物除け音声、例えば、熊除け鈴の音を出力可能となっている。
【００２５】
速度計３５は、動物除け機能付き検針ハンディターミナル２の移動速度を計測するものであり、動物除けタスク４６によって定期的に移動速度を計測して、記憶部３１に記憶するようになっている。
【００２６】
モニタ３６は、図２に示すように動物除け機能付き検針ハンディターミナル２の上側に配設されており、各需要家宅Ｈの電力量計の検針値データや、動物出没情報登録タスク４４、ルート内情報取得タスク４５、動物除けタスク４６の処理結果などを表示する表示装置である。
【００２７】
動物除けタスク起動ボタン３７は、図２に示すように動物除け機能付き検針ハンディターミナル２の右側面部に配設されており、動物除けタスク４６の起動と停止、動物出没情報登録タスク４４の起動をするためのものである。
【００２８】
入力部３８は、図２に示すように動物除け機能付き検針ハンディターミナル２のモニタ３６の下方に配設されており、数字キーや、決定キーを含む入力キーを有している。入力部３８は、後述する動物出没情報登録タスク４４において、天候、出没した動物の種類と状況、その他を含む出没情報を入力することができるようになっている。
【００２９】
検針ルート記憶手段４１は、当該動物除け機能付き検針ハンディターミナル２を携帯する検針員の検針ルートＲを検針ルートデータベース４１ａとして格納するものである。検針ルートデータベース４１ａは、後述するルート内情報取得タスク４５によって、管理サーバ１００の全検針ルートデータベースから、当該動物除け機能付き検針ハンディターミナル２を携帯する検針員の検針ルートＲのみを取得して登録するものである。ここで、当該検針員の検針ルートＲは、具体的には例えば、図３に示すように、需要家宅Ｈ１〜Ｈ９の所在地と、訪問順序、道順を記憶しており、ルート内地図情報データベース４２ａの地形図と重ね合わせることができるようになっている。
【００３０】
地図情報記憶手段４２は、当該動物除け機能付き検針ハンディターミナル２を携帯する検針員の検針ルートＲ内の需要家宅Ｈの位置や地形図を含むルート内地図情報データベース４２ａを格納するものである。ルート内地図情報データベース４２ａは、後述するルート内情報取得タスク４５によって、管理サーバ１００の全地図情報データベースから、当該動物除け機能付き検針ハンディターミナル２を携帯する検針員の検針ルートＲ内の地図情報のみを取得して登録するものである。このルート内地図情報データベース４２ａから、検針ルートＲが、どのような地形を通るか、すなわち、林野部や森林部、山間部、農地を含む野生動物の出没する可能性の高い地形を通るか否かを判定することができる。
【００３１】
出没情報記憶手段４３は、当該動物除け機能付き検針ハンディターミナル２を携帯する検針員の検針ルートＲ内の熊や猪を含む野生動物の出没位置を含む出没情報を記憶したルート内出没情報データベース４３ａを格納するものである。ルート内出没情報データベース４３ａは、後述するルート内情報取得タスク４５によって、管理サーバ１００の全出没情報データベースから、当該動物除け機能付き検針ハンディターミナル２を携帯する検針員の検針ルートＲ内の出没情報のみを取得して登録するものである。このルート内出没情報データベース４３ａから、検針ルートＲが、野生動物の出没する可能性の高い場所を通るか否か、すなわち、出没情報が登録されている地点の近くを通るか否かを判定することができる。
【００３２】
動物出没情報登録タスク４４は、動物除け機能付き検針ハンディターミナル２に配設された動物除けタスク起動ボタン３７を長押しすることにより、現在位置の位置情報と、日時と、出没情報を記憶部３１に記憶する機能を有するプログラム、タスクである。このとき、入力部３８を介して、現在位置、日時、天候、出没した動物の種類と状況、その他を含む出没情報を登録できるようになっている。この動物出没情報登録タスク４４は、検針員が野生動物を目撃した際や、目撃情報を聞いた際に起動する。
【００３３】
ルート内情報取得タスク４５は、管理サーバ１００の全検針ルートデータベースと、全地図情報データベースと、全出没情報データベースとに基づいて、当該動物除け機能付き検針ハンディターミナル２を携帯する検針員の検針ルートＲと、ルート内地図情報と、ルート内出没情報とを取得して、検針ルートデータベース４１ａと、ルート内地図情報データベース４２ａと、ルート内出没情報データベース４３ａとして格納する機能を有するプログラム、タスクである。
【００３４】
具体的には、管理サーバ１００の全検針ルートデータベースに基づいて、当該検針員の当該検針日の検針ルートＲを取得して、検針ルートデータベース４１ａとして格納する。また、検針ルートデータベース４１ａと全地図情報データベースに基づいて、検針ルートＲと、検針ルートＲから所定エリア内、例えば検針ルートＲから半径１００ｍ以内の地図情報をルート内地図情報として取得して、ルート内地図情報データベース４２ａとして格納する。さらに、検針ルートデータベース４１ａと全出没情報データベースに基づいて、検針ルートＲと、検針ルートＲから所定エリア内、例えば検針ルートＲから半径１００ｍ以内の出没情報をルート内出没情報として取得して、ルート内出没情報データベース４３ａとして格納する。このルート内情報取得タスク４５は、動物除けタスク４６の起動時に起動されるようにプログラミングされている。
【００３５】
動物除けタスク４６は、ＧＰＳ３３によって検出した現在位置と、検針ルートデータベース４１ａと、ルート内地図情報データベース４２ａと、ルート内出没情報データベース４３ａとに基づいて、現在位置から検針ルートＲを含む所定エリアにおいて野生動物が出没する可能性が高いか否かを判定して、出没する可能性が高いと判定した場合は、スピーカ３４から熊除け鈴の音を出力する機能を有するプログラム、タスクである。
【００３６】
この動物除けタスク４６は、図４に示すフローチャートに基づいた処理を行う。具体的には、まず、ルート内情報取得タスク４５を起動し（ステップＳ１）、ＧＰＳ３３によって現在位置を検出し、速度計３５によって速度を計測する（ステップＳ２）。そして、野生動物が出没する可能性が高いか否か、すなわち、出没条件に該当するか否かを判定して（ステップＳ３）、該当すると判定した場合（「ＹＥＳ」の場合）は、スピーカ３４から熊除け鈴の音を出力する（ステップＳ４）。
【００３７】
ここで、ステップ３において現在位置から検針ルートＲを含む所定エリアにおいて、例えば現在位置から検針ルートＲ上の半径１００ｍ以内のエリアにおいて野生動物が出没する可能性が高いか否かは、次の出没条件（Ａ）〜（Ｃ）に該当するか否かで判定する。
【００３８】
（Ａ）近隣に出没情報がある
（Ｂ）林野部や森林部、山間部、農地を含む野生動物の出没する可能性の高い地形である
（Ｃ）速度が所定値以下である
（Ａ）または（Ｂ）の少なくともいずれか一方に該当し、かつ、（Ｃ）に該当する場合は、野生動物が出没する可能性が高いと判定する。
【００３９】
条件（Ａ）は、ＧＰＳ３３によって検出した現在位置と、検針ルートデータベース４１ａと、ルート内出没情報データベース４３ａとに基づいて、ルート内出没情報データベース４３ａに、現在位置から検針ルートＲを含む所定エリアが、出没情報の位置情報から所定距離以内のエリアに入っているか否かを判定する。具体的には、図３に示すように、現在位置から検針ルートＲを含む所定エリアが、出没情報が登録されている地点Ｐから所定距離内のエリアＡ１内の場合は、条件（Ａ）に該当すると判定する。すなわち、例えば、現在位置が需要家宅Ｈ２の場合は、地点Ｐから離れており、エリアＡ１外であるため、条件（Ａ）に該当しないと判定する。また、現在位置が需要家宅Ｈ３の場合は、エリアＡ１内のため、条件（Ａ）に該当すると判定する。
【００４０】
条件（Ｂ）は、ＧＰＳ３３によって検出した現在位置と、検針ルートデータベース４１ａと、ルート内地図情報データベース４２ａとに基づいて、現在位置から検針ルートＲを含む所定エリアが、記憶部３１に記憶された林野部や森林部、山間部、農地を含む野生動物の出没する可能性の高い地形であるか否かを判定する。具体的には、図３に示すように、現在位置から検針ルートＲを含む所定エリアが、地形図によって山間部であるエリアＡ２内である場合は、条件（Ｂ）に該当すると判定する。すなわち、例えば、現在位置が需要家宅Ｈ１の場合は、山間部であるエリアＡ２外であるため、条件（Ｂ）に該当しないと判定する。また、現在位置が需要家宅Ｈ４の場合は、エリアＡ２内のため、条件（Ｂ）に該当すると判定する。
【００４１】
条件（Ｃ）は、速度計３５によって計測した速度が所定値以下であるか否かを判定する。すなわち、需要家宅Ｈ６からＨ７への移動中は、自動車で移動しているため、条件（Ｃ）に該当しないと判定する。
【００４２】
そして、ステップＳ２からＳ４の処理を、検針が終了するまで、すなわち、検針ルートＲの終了地点に到達したり、動物除けタスク４６が終了されたりするまで、所定時間間隔、例えば、１分間隔で繰り返す。
【００４３】
制御部２０は、動物出没情報登録タスク４４や、ルート内情報取得タスク４５、動物除けタスク４６の起動を制御するようにプログラミングされており、これらのプログラム、タスクや、処理で使用するデータを記憶するようになっている。
【００４４】
次に、このような構成の動物除け機能付き検針ハンディターミナル２の使用方法および作用について説明する。
【００４５】
はじめに、検針の開始時に、検針員によって動物除け機能付き検針ハンディターミナル２の電源がＯＮされ、つぎに、動物除けタスク起動ボタン３７が押下されて動物除けタスク４６が起動される。
【００４６】
動物除けタスク４６が起動されると、図４に示すフローチャートに基づいて、まず、ルート内情報取得タスク４５が起動される（ステップＳ１）。これにより、管理サーバ１００の全検針ルートデータベースから、当該動物除け機能付き検針ハンディターミナル２を携帯する検針員の当該検針日の検針ルートＲが取得されて、動物除け機能付き検針ハンディターミナル２の検針ルートデータベース４１ａとして格納される。また、管理サーバ１００の全検針ルートデータベースから、当該検針員の当該検針日の検針ルートＲ内のルート内地図情報が取得されて、ルート内地図情報データベース４２ａとして格納される。さらに、管理サーバ１００の全検針ルートデータベースから、当該検針員の当該検針日の検針ルートＲ内のルート内出没情報が取得されて、ルート内出没情報データベース４３ａとして格納される。具体的には、図３に示すように、検針ルートデータベース４１ａとしては、当該検針員の当該検針日として、矢印で示す需要家宅Ｈ１〜Ｈ９を訪問するルートが記憶される。また、ルート内地図情報データベース４２ａとしては、需要家宅Ｈ１〜Ｈ９の所在地や道路と、例えば、エリアＡ２が山間部であることが記憶される。さらに、ルート内出没情報データベース４３ａとしては、地点Ｐにおける野生動物の出没情報が記憶される。
【００４７】
そして、ＧＰＳ３３によって現在位置が検出されて、速度計３５によって速度が計測される（ステップＳ２）。
【００４８】
そして、現在位置から検針ルートＲを含む所定エリアにおいて、野生動物が出没する可能性が高いか否か、すなわち、出没条件に該当するか否かが判定される（ステップＳ３）。具体的には、出没条件（Ａ）〜（Ｃ）に該当するか否かで判定される。
【００４９】
そして、該当すると判定された場合（「ＹＥＳ」の場合）は、スピーカ３４から熊除け鈴の音が出力される（ステップＳ４）。
【００５０】
このようなステップＳ２からＳ４の処理が、検針が終了するまで、すなわち、検針ルートＲの終了地点に到達したり、検針員によって動物除けタスク４６が終了されたりするまで、所定時間間隔で繰り返される。
【００５１】
具体的には例えば、図３に示すように、需要家宅Ｈ１、Ｈ２においては、ステップＳ３で、条件（Ａ）〜（Ｃ）に該当しないと判定される。需要家宅Ｈ３においては、ステップＳ３で、条件（Ａ）、（Ｃ）に該当すると判定され、ステップＳ４で、動物除け機能付き検針ハンディターミナル２のスピーカ３４から熊除け鈴の音が出力される。需要家宅Ｈ４、Ｈ５においては、同様に、条件（Ａ）〜（Ｂ）に該当すると判定され、スピーカ３４から熊除け鈴の音が出力される。
【００５２】
また、需要家宅Ｈ６からＨ７への移動中は、自動車で移動しているため、条件（Ｂ）に該当するが、条件（Ｃ）に該当しないと判定される。
【００５３】
さらに、需要家宅Ｈ８、Ｈ９においては、条件（Ａ）〜（Ｃ）に該当しないと判定される。
【００５４】
このようにして、検針中は、動物除けタスク４６によって、所定時間間隔で条件（Ａ）または（Ｂ）の少なくともいずれか一方に該当し、かつ、（Ｃ）に該当するか否かが判定されて、野生動物が出没する可能性が高いか否かが判定される。そして、野生動物が出没する可能性が高いと判定された場合は、スピーカ３４から熊除け鈴の音が出力される。
【００５５】
また、検針員が野生動物を目撃した場合は、動物除けタスク起動ボタン３７が長押しされることによって、動物出没情報登録タスク４４が起動されて、出没情報が記憶部３１に登録、蓄積される。そして、動物除け機能付き検針ハンディターミナル２から、検針値データが管理サーバ１００に送信される際に、記憶部３１に記憶している出没情報が管理サーバ１００に送信されるようになっている。
【００５６】
さらに、行政機関や民間団体から発表される情報や、検針員を含む目撃者からの情報が更新、追加されると、管理サーバ１００の全出没情報データベースに登録、蓄積される。そして、ルート内情報取得タスク４５によって、動物除け機能付き検針ハンディターミナル２にも常に最新の出没情報が格納される。
【００５７】
以上のように、この検針時動物除けシステム１によれば、動物除け機能付き検針ハンディターミナル２の動物除けタスク４６によって、現在位置から検針ルートＲを含む所定エリアにおいて野生動物が出没する可能性が高いと判定された場合は、スピーカ３４から熊除け鈴の音を出力することができる。これにより、検針員は、検針時に動物除け機能付き検針ハンディターミナル２以外に熊除け鈴を携帯する必要がなくなる。すなわち、検針時に必ず携帯している動物除け機能付き検針ハンディターミナル２によって、野生動物が出没する可能性が高いと判定された場合に熊除け鈴の音を出力することができるので、いつでも安全に検針することができる。
【００５８】
また、動物除けタスク４６は、速度計３５で計測した速度が所定値以上の場合は、スピーカ３４からの熊除け鈴の音を出力しないので、例えば、自動車で移動しているような場合には、スピーカ３４から熊除け鈴の音が出力されない。すなわち、必要な場合のみ、スピーカ３４から熊除け鈴の音を出力するようになっている。
【００５９】
さらに、行政機関や民間団体から発表される情報や、他の検針員を含む目撃者からの情報が更新、追加されると、管理サーバ１００の全出没情報データベースに登録、蓄積される。そして、ルート内情報取得タスク４５によって、動物除け機能付き検針ハンディターミナル２にも常に最新の出没情報が格納される。これにより、検針時は、最新の出没情報に基づいて、野生動物が出没する可能性が高いか否かが判定されるので、検針員の安全を確保することができる。
【００６０】
さらにまた、検針員が野生動物を目撃して自身の動物除け機能付き検針ハンディターミナル２の動物出没情報登録タスク４４に登録、蓄積した出没情報は、管理サーバ１００の全出没情報データベースとして記憶されて、ルート内情報取得タスク４５によって、他の検針員の各動物除け機能付き検針ハンディターミナル２にも取り込むことができる。すなわち、蓄積した野生動物の出没情報を共有することができる。
【００６１】
以上、この発明の実施の形態について説明したが、具体的な構成は、上記の実施の形態に限られるものではなく、この発明の要旨を逸脱しない範囲の設計の変更等があっても、この発明に含まれる。例えば、動物除けタスク４６のステップＳ３においては、ルート内出没情報データベース４３ａの出没情報と、当日の天候、季節、時間帯が合致する場合のみ、条件（Ａ）に該当するものとして判定するようにしてもよい。
【００６２】
また、冬季は、冬眠する動物については、ルート内出没情報データベース４３ａの出没情報の有無に関わらず出没する可能性はないと判定するようにしてもよい。
【符号の説明】
【００６３】
１              検針時動物除けシステム
２              動物除け機能付き検針ハンディターミナル
２１            検針部（検針手段）
３３            ＧＰＳ（現在位置検出手段）
３４            スピーカ（音声出力手段）
３５            速度計（速度計測手段）
３６            モニタ
４１ａ          検針ルートデータベース（検針ルート記憶手段）
４２ａ          ルート内地図情報データベース（地図情報記憶手段）
４３ａ          ルート内出没情報データベース（出没情報記憶手段）
４４            動物出没情報登録タスク
４５            ルート内情報取得タスク
４６            動物除けタスク（動物除け手段）
１００          管理サーバ
【図１】
2015011430.tif 000003
【図２】
2015011430.tif 000004
【図３】
2015011430.tif 000005
【図４】
2015011430.tif 000006